(57)【要約】      （修正有）【課題】布団と直結している襟カバーが簡単に着脱でき、布団の布団カバーの中でのよじれやたるみを防止できる布団の襟カバーの構造。【解決手段】襟カバー７の両先端にオープンファスナー５ａ、５ｂを付ける。相方のオープンファスナー５ｂ、５ａは布団カバー３に付ける。これによって、襟カバー７の着脱が非常に簡単になる。布団１の上端に複数の結合物９をつけ、結合物９のもう一端に雌型のホック９ａ又は雄型のホック９ｂを取り付けて、襟カバー７に雄型のホック９ｂ又は雌型のホック９ａを取り付ける。布団カバー３に布団１の上端についている開口部６ｂを複数作る。襟カバー７にも開口部９ａを作る。布団カバー３の開口部９ｂと襟カバー７に設けた開口部９ａを襟カバー７の雄型のホック９ｂ又は雌型のホック９ａと接合する。よって布団１と襟カバー７と直結になり、布団１は布団カバー３の中によじれやたるみを作らない。【選択図】図８
0003129787.tif 000002
【実用新案登録請求の範囲】
【請求項１】
布団に被せた布団カバーの上端に横幅方向に所要間隔で複数の開口部を設け、前記布団カバ−の上端部を覆う襟カバー本体と前記布団とを前記布団カバーの開口部を通して着脱可能に連結し、且つ前記襟カバーと布団カバーとを着脱可能な連結物で連結するようにしたことを特徴とする布団と直結する着脱簡単な布団の襟カバー。
【請求項２】
布団の上端の横幅方向に所要の間隔を離した位置に複数のワッカを設け、該ワッカを抜け通る開口部を布団カバーに複数設け、布団カバーの上端から被り覆う襟カバーの裏側に布団から露出したワッカと連結する紐類を設け、前記したワッカと前記した紐類を連結させるようにし、且つ前記襟カバーと布団カバーとを着脱可能な連結物で連結するようにしたことを特徴とする布団と直結する着脱簡単な布団の襟カバー。
【請求項３】
布団の上端の横幅方向に所要の間隔を離した位置に複数の着脱可能な結合物の雌型又は雄型を設け、該着脱可能な結合物が抜け通る開口部を布団カバーに複数設け、布団カバーの上端から被り覆う襟カバーに、布団カバーの開口部から露出した着脱可能な結合物雌型又は雄型と連結する連結物の雄型又は雌型を設け、布団に設けた連結物の雌型又は雄型と襟カバーに設けた連結物の雄型又は雌型の連結させるようにし、且つ前記襟カバーと布団カバーとを着脱可能な連結物で連結するようにしたことを特徴とする布団と直結する着脱簡単な布団の襟カバー。
【考案の詳細な説明】
【技術分野】
【０００１】  本考案は通常布団カバーは顎と接触した部分だけよく汚れたりする、しかしその部分的な汚れのため、面倒な大きい布団カバーの洗濯をしなければならない。洗濯回数を減らすことや寝具カバーの部分的な汚れを防止するため布団カバーの上に襟カバーを装着して使用し、その襟カバーの交換や洗濯等を容易に行うことができる襟カバーの構造。またが布団カバーの中で、よじれたり、たるんだりせずに常に身体とフィットする状態を安易に保てる襟カバーの構造を提供する。
【背景技術】
【０００２】  布団を清潔に使用するために通常布団カバーを付けて使用する。しかし布団カバーと顎の接触部分が汚れやすい。その部分的な汚れを洗濯しやすくため、襟カバーをつける。また、羽毛布団や毛布のような軽い寝具が寝ているうちに布団が布団カバーの中によじれたり、たるんだりして、身体にフィットしないことがある。それを解決ため布団の四隅や周りにワッカをつけ、布団カバーの裏側の四隅や周りに紐を付ける。ワッカと紐を結ぶことによって布団のよじれやたるみを防止する。
【考案の開示】
【考案が解決しようとする課題】
【０００３】  従来布団カバーと顎の接触部分の汚れ防止するために、布団カバーの上に更に襟カバーを取り付けて使用する。しかしその襟カバーを取り付ける方法に関してはさまざまな課題が生じる。
イ）付ける方法は通常は針と糸でつけたりしているが洗濯や交換する時に、実は面倒で      手間暇が掛かる作業である。
ロ）安全ピンで付けたりしている方法も良く使われているが、ピンが外れたりして人体    に刺されたりして危険がある。また安全ピンで留まっている所の布地を破れたりする    ことがある。
ハ）面ファスナーを利用している方法もあるが、洗濯をしているうちに面ファスナーに      ゴミが付着して、面ファスナーの効力が失われてしまうことがある。
ニ）ゴム入り襟カバーを使用する方法もある。この方法は襟カバー用の布地を二つ折り      し、輪になる一辺が形成する。この輪になる一辺の左右の両側を縫い付けて、輪に      なる一辺の反対側が開口部になる。その開口部の左右にゴムを入れ、ゴム入れの袋      状の襟カバーを形成する。この開口部に布団カバーごとの布団をいれる。開口部の      ゴムが布団を縛り付けて、襟カバーが布団カバーに取り付けることができる。しか      し、その方法は襟カバーが布団カバーの上を被さっただけで、襟カバーの開口部分      が布団カバーと接合になっていないため、寝ているうちに手が襟カバーと布団カバ      ーの間に入れ、襟カバーを無意識に突き上げて外してしまう欠点がある。開口部の      左右のゴムは襟カバーと布団カバーを結合する力がなく汚れ防止の目的が達成しな      い。
ホ）またもう一つ解決したい課題がある。それは羽毛のような軽い寝具が使用している      うちに布団カバーと連結する紐が外れ、布団が布団カバーの中によじれたりたるん      だりして、連結する紐を結び直すたびに大きな布団カバーを取り外さなければなら      ない。
本考案は汚れ防止用の布団の襟カバーが洗濯や交換する時簡単に着脱できる襟カバーの構造と同時に布団のよじれやたるめを防止する襟カバーの構造を提供しようとするものである。
【課題を解決するための手段】
【０００４】  本考案は汚れ防止用の布団の襟カバーが洗濯や交換する時、簡単に着脱できる課題を解決するため、オープンファスナーの左右を分離できる性質を利用し、２本のオープンファスナーを使用する。まず２本のオープンファスナーのスライダーのある側とオープンファスナーのスライダーのない側をそれぞれ分離させ、よってスライダーのある側２個とオープンファスナーのスライダーのない側２個を形成する。次は布団カバーの上端から被り覆う襟カバーを設け、前記した襟カバーの両先端の横幅方向に分離させたオープンファスナーのスライダーのある側１個とオープンファスナーのスライダーのない側１個を取り付けて、布団カバーの裏と表の横幅方向に残っていたオープンファスナーのスライダーのない側１個とオープンファスナーのスライダーのある側の１個を取り付ける。襟カバーの両端に取り付いているオープンファスナーのスライダーのある側とオープンファスナーのスライダーのない側と布団カバーの裏の表に取り付いているオープンファスナーのスライダーのない側とオープンファスナーのある側をそれぞれ結合したり、分離したりすることによって、布団の襟カバーが簡単に取り外すことができる。【０００５】  また布団のよじれやたるみの課題を解決するため、布団の上端の横幅方向に複数の接合物を取り付け、該複数の接合物と連結するための物は襟カバーに複数取り付ける。布団カバーに布団の上端についている接合物を通り抜ける開口部を複数作る。更に布団カバーの開口部から露出した布団の上端についている接合物を抜け通る開口部を襟カバーにも複数作る。布団の上端の横幅方向に取り付けた複数の接合物が布団カバーの開口部と襟カバー開口部を抜け通り、襟カバーに取り付いている連結するための物と接合する。よって布団と襟カバーと直結になり、布団は布団カバー中によじれやたるみの課題を解決する。
【考案の効果】
【０００６】  上述のように、布団に被せた布団カバーの上端に横幅方向に所要間隔を離した位置に複数の開口部を設け、前記布団カバーの上端部を覆う襟カバー本体と前記布団とを前記布団カバーの開口部を通して着脱可能に連結し、且つ前記襟カバーと布団カバーとを着脱可能な連結物で連結するようにしているため、布団を使用しているうちに手が襟カバーと布団カバーの間に入れることなく襟カバーを突き上げて取れてしもうこともない。また汚れた襟カバーを洗濯や交換する時、連結物の取り外しによって、襟カバーの取り付けや取り外しが簡単にできる。また、布団と襟カバーと直接に連結をしているため、布団が布団カバーの中によじれたりたるんだりする課題を解決できる。
【考案を実施するための最良の形態】
【０００７】  図１乃至図４は本考案の実施の一形態を示すもので、以下の構成とする。
布団１は市販のおよそ幅１５０センチメートル長さ２００センチメートルのシングル布団である。布団は使用する時、頭の方向を上部とし、足の方向を下部とする。通常市販の布団の上部の中央に１個ワッカがついている。その中央のワッカから左右４０センチメートル位の所に図１に示すようにそれぞれ１個ずつワッカ２をつける。【０００８】  幅１５０センチ長さ２１０センチの布団カバー３の布地は表布地３ａと裏布地３ｂ各１枚ずつからなる。その布地の横幅の頭の方向部分を上部にし、足の方向部分を下部とする。表布地３ａの上端から下部の方向へ上端から３０センチメートル位の所に横幅に幅５センチメートル位の山折りを作る。その山折は強化布地４になる。山折りを上部側に折り倒し、表布団カバーの布地との間に横方向に延びる谷間を形成する。その谷間の底に沿って、スライダーのあるオープンファスナー５ａを挟み込んで縫い付ける。その時、スライダーのあるオープンファスナー５ａの長手方向の中央部と谷間の中央部を必ず合わせて縫い付ける。裏布地３ｂは上端から２０センチメートル位の所の横幅に幅５センチメートル位の山折りを作り、その山折りは強化布地４とする。表布地３ａと同様にその山折を上部側に折り倒し、裏布団カバーの布地との間にも谷間を形成する。その谷間の底に沿って、スライダーのないオープンファスナー５ｂを挟み込んで縫い付ける。その時、スライダーのないオープンファスナー５ｂ長手方向の中央部と谷間の中央部を必ず合わせて縫い付ける。【０００９】  布団カバー３の表と裏の布地３ａと３ｂの上端を縫い合わせる時、上端の横幅方向の中央部から左右にそれぞれ１センチずつを縫い合わせないように、２センチメートル位大きさの開口部６を作る。続いて表布地３ａも裏布地３ｂも上端中央部から左右４０センチメートル位の所は表布地３ａと裏布地３ｂの上端を縫い合わせないように、図２に示すようにそれぞれ２センチメートル位に開口部６を作る。【００１０】  強化布地４はオープンファスナー５ａ、５ｂをつけるために、布団カバーの布地を強化するためだけの物ではなく、就寝時、オープンファスナーが身体に傷をつけないために、必要な物である。故に強化布地の幅はオープンファスナーのスライダーを覆うぐらいの幅であれば何センチでも結構である。【００１１】  襟カバー７は幅がおよそ１２０センチメートル位で、長さは５０センチメートル位のものを使用する。横幅の上下両端にそれぞれスライダーのあるオープンファスナー５ａとスライダーのないオープンファスナー５ｂを図３に示すように付ける。スライダーのあるオープンファスナー５ａとスライダーのないオープンファスナー５ｂ付ける時、必ず襟カバー７の横幅の中央部とオープンファスナーの長手方向の中央部を合わせて付けること。次にスライダーのないオープンファスナー５ｂをつけている端から襟カバー７の裏側の中央に３０センチメートル位の所に横線を付し、次は襟カバーの上下両端部の横方向の中央部を結ぶ縦線を付し、襟カバーの縦の中央線とする。この横線と縦線が交わる所に紐８を１本付ける。その紐８を中心にし、左右４０センチメートル位の所に１本ずつ紐８を付ける。計３本の紐８を襟カバー７の裏に図３に示すように取りつける。【０���１２】  図１の布団１に図２の布団カバー３をかける。布団１の上部に付いている３個のワッカ２を布団カバー３の上端にある開口部６から露出させる。露出した３個のワッカ２と襟カバー７の裏についている３本の紐８をそれぞれ結びつけることによって、布団１と襟カバー７を図４に示すように連結する。布団１と襟カバー７を連結させる物はもちろんワッカ２と紐８だけではなく、紐と紐や、スナップボタンなど、安全で着脱簡単な連結になる物であれば、すべて使用可能である。【００１３】  襟カバー７の横幅の一端についているスライダーのないオープンファスナー５ｂは布団カバー３の表についているスライダーのあるオープンファスナー５ａと連結する。襟カバー７の横幅のもう一端についているスライダーのあるオープンファスナー５ａは布団カバーの裏についているスライダーのないオープンファスナー５ｂと連結する。オープンファスナー５ａ、５ｂの開閉によって襟カバー７が着脱の作業は非常に簡単にできる。襟カバー７と布団カバー３の連結物はオープンファスナーだけではなく、複数の紐と紐、細い長い帯状の紐と複数のボタンホール、スナップボタンなど、とにかく安全で且つ着脱簡単な連結物なら、すべて使用可能である。【００１４】  次に図５乃至図８は本考案の他の形態を示すもので、横幅５センチメートル位長さ６センチメートル位の結合物としての帯状布地９を３本位用意する。その帯状布地９の一端の中央から左右１．５センチ位離れた所に２個位雌型ホック９ａを付ける。続いて布団１の上端部の中央と中央から左右各４０センチメートル位の間隔で図５を示すように３本の帯状布地９を付ける。【００１５】  襟カバー７は横幅がおよそ１００センチメートル位縦幅は５０センチメートル位の物とする。襟カバー７の大きさは布団カバー３の汚れ防止の目的を達成できる大きさであれば良いである。襟カバー７は布団カバー３の上端に被せ覆い、布団カバー３の裏と表に重ね合うようにする。布団カバー３の裏と重ね合う襟カバー７下部の先端の横幅方向に連結物としてのスライダーのあるオープンファスナー５ａを付ける。【００１６】  次にこのスライダーのあるオープンファスナー５ａを付けた先端からの襟カバー７の中央へ２０センチメートル位の所に横線を付し、次は襟カバー７の縦方向の中央線を付し、その横線と縦の中央線を交わる所に７センチメートル位の開口部６ａを図７に示すように作る。この開口部６ａを中央にして左右４０センチメートル位の所で７センチメートル位の開口部６ａを更に２個を作る。【００１７】  続いてこの３個の開口部６ａそれぞれの中央から襟カバー７の下部の先端にあるオープンファスナー５ａの方向へ５センチメートル位の所を基点にして左右１．５センチ位の所に雄型ホック９ｂを６個付ける。【００１８】  襟カバー７についているオープンファスナー５ａの一端からもう一端の方向へ４０センチメートル位の襟カバーの裏側の所に横幅方向に連結物としてのスライダーのないオープンファスナー５ｂを図７のように付ける。【００１９】  次に横幅１２０センチメートル位縦幅４センチメートル位の強化布地１本を作る。この強化布地の横幅方向の一端にスライターのないオープンファスナー５ｂを付ける。もう一端を折り曲げてオープンファスナー５ｂを被せるようにして、図８のように布団カバー３の裏３ｂに付ける。つける場所は布団カバー３の上端から下部の方向へ２０センチメートル位所に布団カバー３の横幅方向に付ける。【００２０】  一方布団カバー３の表３ａには布団カバー３の上縁部から下部へ２０センチメートル位の所にスライダーのあるオープンファスナー５ａを図６に示すように布団カバー３の横幅方向に付ける。【００２１】  布団カバーの上端の中央を７センチメートル位の開口部６ｂを作る。その中央から左右４０センチメートル位の所で２個の開口部６ｂを図６に示すように作る。計３個の開口部６ｂを作る。【００２２】  図５の布団１に図８の布団カバー３をかける。布団１の上部に付いている帯状布地９を布団カバー３の上部にある開口部６ｂから出す。次は布団カバー３に襟カバー７をかける。布団カバー３の開口部から露出ている帯状布地９を更に襟カバー７の開口部９ａから出す。続いて帯状布地９の先端にある雌型ホック９ａを襟カバー７の表にある雄型ホック９ｂにはめる。よって布団１と襟カバー７を連結になる。襟カバー７の横幅方向についているオープンファスナー５ｂ、５ａは布団カバー３の表と裏についているオープンファスナー５ａ、５ｂと連結する。よって襟カバー７と布団カバー３が連結になる。
【図面の簡単な説明】
【００２３】
【図１】布団の上端部の平面図である
【図２】布団カバーの表平面図である
【図３】襟カバーの斜視図である
【図４】布団カバーに襟カバーを取り付ける時の状態を示す平面図である
【図５】布団の裏の上端部の平面図である
【図６】襟カバーを覆われる時の布団カバー表の状態を示す平面図である
【図７】襟カバー裏の平面図である
【図８】襟カバーを覆われる時の布団カバー裏の状態を示す平面図である
【符号の説明】
【００２４】  １布団
２ワッカ
３布団カバー
３ａ布団カバーの表布地
３ｂ布団カバーの裏布地
４強化布地
５ａスライダーのあるオープンファスナー（連結物）
５ｂスライダーのないオープンファスナー（連結物）
６開口部
６ａ開口部
６ｂ開口部
７襟カバー
８紐
９帯状布地（結合物）
９ａ雌型ホック
９ｂ雄型ホック
【図１】
0003129787.tif 000003
【図２】
0003129787.tif 000004
【図３】
0003129787.tif 000005
【図４】
0003129787.tif 000006
【図５】
0003129787.tif 000007
【図６】
0003129787.tif 000008
【図７】
0003129787.tif 000009
【図８】
0003129787.tif 000010